(57)【要約】【課題】光回線を使った検針システムにおいて、工事担当者がセキュリティを保持しつつ、屋内に立ち入らないでホームゲートウェイの設定を行なうための遠隔通信装置を提供する。【解決手段】ネットワークを介して所定の家の屋内に設置されたホームゲートウェイにアクセスする遠隔通信装置であって、ホームゲートウェイアクセス情報記憶手段と、ホームゲートウェイのアクセス情報を取得し、当該ホームゲートウェイにアクセスするホームゲートウェイアクセス手段と、インターネットに接続するための設定データを生成する設定データ生成手段と、ホームゲートウェイに、設定データ生成手段で生成した設定データを設定する設定データ設定手段と、携帯端末に設定データ生成手段で生成した設定データを送信する設定データ情報送信手段とを有する遠隔通信装置により、達成できる。【選択図】図１
2012165059.tif 000002
【特許請求の範囲】
【請求項１】
ネットワークを介して所定の家の屋内に設置されたホームゲートウェイにアクセスする遠隔通信装置であって、
予め前記ホームゲートウェイが設置された家の電話番号と当該ホームゲートウェイのアクセス情報を対応付けて記憶するホームゲートウェイアクセス情報記憶手段と、
自装置へのアクセスを許可した携帯端末から特定の電話番号の情報を受信すると、前記ホームゲートウェイアクセス情報記憶手段から前記特定の電話番号に対応するホームゲートウェイのアクセス情報を取得し、当該ホームゲートウェイにアクセスするホームゲートウェイアクセス手段と、
所定の通信機器がホームゲートウェイを介してインターネットに接続するための設定データを生成する設定データ生成手段と、
前記ホームゲートウェイアクセス手段でアクセスしたホームゲートウェイに、前記設定データ生成手段で生成した設定データを設定する設定データ設定手段と、
電話番号の情報を送信した前記携帯端末に前記設定データ生成手段で生成した設定データを送信する設定データ情報送信手段とを有することを特徴とする遠隔通信装置。
【請求項２】
請求項１に記載の遠隔通信装置にアクセスする携帯端末であって、
遠隔通信装置から前記設定データ情報送信手段によって設定データを取得すると、所定の通信機器に接続し取得した設定データに応じて当該通信機器を設定する通信機器設定手段を有することを特徴とする携帯端末。
【発明の詳細な説明】
【技術分野】
【０００１】
本発明は、無線により電力メータまたはガスメータの情報を取得または制御するシステムにおける遠隔通信装置および携帯端末に関する。
【背景技術】
【０００２】
従来、遠隔検針を行なうシステムとして電話網を介して各家庭の電気の電力量メータやガスの流量メータ（以下メータ）を検針するシステムがある。このシステムは、メータの検針データを取得する検針子機と検針子機から検針データを受信して、電話網のケーブルに直接ブランチ接続されている網制御装置（ＮＣＵ：Network Control Unit）を介して検針センターに送信する検針親機とから構成され、検針親機と検針子機の通信には、無線方式を用いることが主流となっている。
【０００３】
特許文献１には、検針親機と検針子機の親子関係を設定する技術が開示されている。具体的には、工事者が検針親機と検針子機の双方に検針子機のＩＤの一部（短縮ＩＤ）を設定しておき、検針子機は電源ＯＮすると、検針親機と一定時間間欠受信可能な状態となる。検針親機の所定のボタンを押下すると短縮ＩＤが含まれるペアリング要求電文を当該検針子機に送信し、検針子機は短縮ＩＤが一致した場合にペアリングを成立させ正式なＩＤを交換して記憶する。
【０００４】
ところで、今後、電話網は光回線に移行され、光回線を収容するホームゲートウェイが各家庭に設置されるに伴い、検針システムの検針親機として動作するホームゲートウェイの実現が望まれる。
【先行技術文献】
【特許文献】
【０００５】
【特許文献１】特開２００６−３０３９４２号公報
【発明の概要】
【発明が解決しようとする課題】
【０００６】
しかし、一般にホームゲートウェイが設置される場所は屋内なので、屋内に設置されたホームゲートウェイに検針親機機能の設定や検針子機の親子関係の設定を行なう場合、家主の承諾を得て、屋内に立ち入って各種設定を行わなければならず煩雑である。
【０００７】
本発明の目的は、光回線を使った検針システムにおいて、工事担当者がセキュリティを保持しつつ、屋内に立ち入らないで円滑かつ安全にホームゲートウェイの設定を行なうための遠隔通信装置および携帯端末を提供することにある。
【課題を解決するための手段】
【０００８】
上述した課題は、ネットワークを介して所定の家の屋内に設置されたホームゲートウェイにアクセスする遠隔通信装置であって、予めホームゲートウェイが設置された家の電話番号と当該ホームゲートウェイのアクセス情報を対応付けて記憶するホームゲートウェイアクセス情報記憶手段と、アクセスを許可した携帯端末から特定の電話番号の情報を受信すると、ホームゲートウェイアクセス情報記憶手段から特定の電話番号に対応するホームゲートウェイのアクセス情報を取得し、当該ホームゲートウェイにアクセスするホームゲートウェイアクセス手段と、所定の通信機器がホームゲートウェイを介してインターネットに接続するための設定データを生成する設定データ生成手段と、ホームゲートウェイアクセス手段でアクセスしたホームゲートウェイに、設定データ生成手段で生成した設定データを設定する設定データ設定手段と、電話番号の情報を送信した携帯端末に設定データ生成手段で生成した設定データを送信する設定データ情報送信手段とを有する遠隔通信装置により、達成できる。
【０００９】
また、上述した遠隔通信装置にアクセスする携帯端末であって、遠隔通信装置から設定データ情報送信手段によって設定データを取得すると、所定の通信機器に接続し取得した設定データに応じて当該通信機器を設定する通信機器設定手段を有する携帯端末により、達成できる。
【発明の効果】
【００１０】
光回線を使った検針システムにおいて、屋内に立ち入らないで、ホームゲートウェイに検針親機機能の設定および検針子機との親子関係の設定を円滑かつ安全に行なうことができる。
【図面の簡単な説明】
【００１１】
【図１】検針システムのハードウェアブロック図である。
【図２】ホームゲートウェイ（ＨＧＷ）の機能ブロック図である。
【図３】検針子機の機能ブロック図である。
【図４】情報収集制御装置のブロック図である。
【図５】携帯端末のブロック図である。
【図６】携帯端末、検針子機、ホームゲートウェイ、情報収集処理装置の間のシーケンス図である。
【図７】ホームゲートウェイのアプリケーションソフトウェアを受信・起動するフローチャートである。
【図８】ホームゲートウェイのアプリケーションソフトウェアのフローチャートである。
【図９】検針子機の無線ＬＡＮの設定に係わるフローチャートである。
【図１０】検針子機のメータからのデータを送信する処理およびメータを制御する処理のフローチャートである。
【図１１】情報収集制御装置の無線ＩＤとセキュリティ情報を生成して配布する処理のフローチャートである。
【図１２】情報収集制御装置のメータの検針および制御を行なう動作のフローチャートである。
【図１３】携帯端末の情報収集制御装置と検針子機にアクセスする処理のフローチャートである。
【発明を実施するための形態】
【００１２】
以下、本発明の実施の形態について、実施例を用い図面を参照しながら、詳細に説明する。なお、実質同一部位には同じ参照番号を振り、説明は繰り返さない。
【００１３】
まず、図１を参照して、検針システム５００の構成を説明する。図１において、検針システム５００は、ホームゲートウェイ（ＨＧＷ）１と、検針子機２と、情報収集制御装置３と、携帯端末４と、ＯＮＵ（Optical Network Unit）８と、ＮＧＮ（Next Generation Network）９と、携帯網１０とから構成されている。
【００１４】
ＮＧＮ９は、信頼性が高く、セキュアなサービスを提供する。ＮＧＮでは、電話番号がＩＰ回線に紐付けられている。建屋１１の屋内にＯＮＵ８、ホームゲートウェイ１が設置され、屋外に検針子機２と電力メータまたはガスメータ（以下メータ５）が設置されている。ホームゲートウェイ１は、ＯＮＵ８を介してＮＧＮ９に接続されている。ホームゲートウェイ１は、ＩＰサービスを中継するためのルータ機能、ＶｏＩＰ機能、各種アプリケーションを動作させる機能を有している。ホームゲートウェイ１は無線ＬＡＮのインターフェースを有し、家庭内の無線ＬＡＮ６を構成してもよい。
【００１５】
ホームゲートウェイ１は、無線ＬＡＮ６とは無線ＩＤが異なる検針用の無線ＬＡＮ７を、無線ＬＡＮインターフェースで構成する機能を有している。一般的に無線ＩＤは、ＳＳＩＤ（Service Set Identification）と称され、複数のＳＳＩＤを構成する方式をマルチＳＳＩＤという。ホームゲートウェイ１は、情報収集制御装置３とメータ５との間で行なわれる情報収集および制御を仲介する。
【００１６】
検針子機２は、メータ５のデータを取得し、無線ＬＡＮ７を介してホームゲートウェイ１に送信する。また、検針子機２は、ホームゲートウェイ１から受信した制御情報をメータ５に送信する。さらに、検針子機２は、無線ＬＡＮのアドホック通信機能により、携帯端末４と接続し、ホームゲートウェイ１と通信を行なうための無線ＩＤと暗号鍵などのセキュリティ情報を取得する。
【００１７】
情報収集制御装置３は、ＮＧＮ９、ＯＮＵ８を介してホームゲートウェイ１に接続し、メータ５の検針データを収集し、メータ５を制御する。ここで、情報収集制御装置３は、中間サービス事業者を経由しても良い。中間サービス事業者は、検針サービス以外のサービスも含めセキュアにホームゲートウェイ１に一括してサービスを提供する事業者である。
【００１８】
また、情報収集制御装置３は、ＮＧＮ９と携帯網１０を介して携帯端末４と接続する。情報収集制御装置３は、ホームゲートウェイ１が検針子機２と通信を行い情報収集制御装置３との間を仲介するためのアプリケーションソフトウェア（以下アプリ）をホームゲートウェイ１に配布して当該アプリを起動させる。情報収集制御装置３は、ホームゲートウェイ１が検針子機２と通信を行なうために設定データとして無線ＩＤと暗号鍵などのセキュリティ情報を生成し、ホームゲートウェイ１と携帯端末４に配布する。
【００１９】
尚、ここで、配布される設定データにはホームゲートウェイの名称や接続可能台数、利用状態、利用可能プロトコルなどのホームゲートウェイのプロファイルを追加してもよい。
【００２０】
携帯端末４は、携帯網１０とＮＧＮ９を介して情報収集制御装置３に接続し、ホームゲートウェイ１と検針子機２が通信を行なうための無線ＩＤとセキュリティ情報を取得する。また、携帯端末４は、無線ＬＡＮのアドホック通信機能により検針子機２と接続し、ホームゲートウェイ１と検針子機２が通信を行なうための無線ＩＤとセキュリティ情報を検針子機２に送信する。
【００２１】
図２を参照して、ホームゲートウェイ１の機能ブロックを説明する。図２において、ホームゲートウェイ１は、ＷＡＮ−ＩＦ部１００と、ＨＧＷ主機能部１０１と、アプリケーションフレームワーク部１０３と、無線ＬＡＮ設定部１０４と、無線ＬＡＮ−ＩＦ部１０５と、認証部１０６とから構成されている。
【００２２】
ＷＡＮ−ＩＦ部１００は、ＯＮＵ８を経由してＮＧＮ９を含むＷＡＮとの通信を行なう物理的インターフェースおよび各種通信プロトコルを実現する。
【００２３】
ホームゲートウェイ主機能部１０１は、ＷＡＮからのサービスをＬＡＮに接続された端末に提供するためのルータ機能およびＶｏＩＰ機能を実現する。
【００２４】
アプリケーションフレームワーク１０３は、アプリケーションソフトウェアをバンドルするフレームワークである。アプリケーションフレームワーク１０３は、外部からのインストール、アンインストール、起動、停止を制御する。
【００２５】
無線ＬＡＮ設定部１０４は、無線ＬＡＮ−ＩＦ部１０５に対して、無線ＩＤおよびセキュリティ機能などを設定する。本実施例では、アプリケーションフレームワーク部１０３を使い、アプリケーションソフトウェアから設定を実施する。認証部１０６は、検針子機２、情報収集制御装置３の認証を行なう。
【００２６】
無線ＬＡＮ−ＩＦ部１０５は、無線ＬＡＮ６および無線ＬＡＮ７を構成する。
【００２７】
図３を参照して、検針子機２の機能ブロックを説明する。図３において、検針子機２は、無線ＬＡＮ−ＩＦ部２００と、外部機器−ＩＦ部２０１と、無線ＬＡＮ設定部２０２と、ＨＧＷとの情報送受信部２０３と、外部機器との情報送受信部２０４と、認証処理部２０５とから構成されている。
【００２８】
無線ＬＡＮ−ＩＦ部２００は、ホームゲートウェイ１と無線通信を行なう。また、無線ＬＡＮ−ＩＦ部２００は、携帯端末４と無線通信を行なう。無線ＬＡＮ−ＩＦ部２００は、ホームゲートウェイ１との無線通信について、インフラストラクチャーモードで接続し、携帯端末４について、アドホックモードで接続する。
【００２９】
外部機器−ＩＦ部２０１は、メータ５と接続され、メータ５との通信を実現する。認証処理部２０５は、携帯端末４を認証する。無線ＬＡＮ設定部２０２は、携帯端末４から無線ＬＡＮ−ＩＦ部２００を介して受信したホームゲートウェイ１と通信を行なうための無線ＩＤ、セキュリティ情報をもとに無線ＬＡＮ−ＩＦ部２００の設定を行なう。
【００３０】
ＨＧＷとの情報送受信部２０３は、ホームゲートウェイ１に対して検針データを送信し、ホームゲートウェイ１からメータ５の制御情報を受信する。
【００３１】
外部機器との情報送受信部２０４は、メータ５から検針データを取得し、メータ５を制御する。
【００３２】
図４を参照して、情報収集制御装置３の機能ブロックを説明する。図４において、情報収集制御装置３は、通信ＩＦ部３００と、携帯端末通信部３０１と、ＨＧＷ通信部３０２と、情報収集制御部３０３と、携帯端末認証処理部３０５と、ＨＧＷ認証処理部３０６と、無線ＩＤ・セキュリティ情報決定部３０７と、お客様情報保存部３０８と、アプリ配布部３０９とから構成されている。
【００３３】
通信ＩＦ部３００は、ＮＧＮ９を含むＷＡＮとの通信を行なう物理的インターフェースおよび各種通信プロトコルを実現する。
【００３４】
携帯端末通信部３０１は、携帯端末４のアクセスを受け付ける。携帯端末通信部３０１は、携帯端末認証処理部３０５で認証ＯＫになった携帯端末４に対する通信を行なう。
【００３５】
ＨＧＷ通信部３０２は、携帯端末通信部３０１が取得したお客様電話番号をもとにホームゲートウェイ１を特定し通信を行なう。
【００３６】
情報収集制御部３０３は、ホームゲートウェイ１を経由してメータ５から検針データを収集し、メータ５の制御を実行する。また、外部機器（図示せず）に対して収集した検針データを送信し、外部機器からメータ５の制御指示を受ける。
【００３７】
携帯端末認証処理部３０５は、自装置３にアクセスした携帯端末４の電話番号や証明書、パスワードをもとに認証を行なう。
【００３８】
ホームゲートウェイ認証処理部３０６は、ホームゲートウェイ１が自情報収集制御装置３を認証する処理に対して応答する。
【００３９】
無線ＩＤ・セキュリティ情報決定部３０７は、無線ＬＡＮ７の無線ＩＤと、セキュリティ情報を生成する。具体的には、携帯端末４から受信したお客様電話番号からユニークな無線ＩＤとセキュリティ情報を生成する。但し、無線ＩＤからお客様電話番号やセキュリティ情報を解読できないようにする。生成した無線ＩＤについて、無線ＩＤ・セキュリティ情報決定部３０７は、お客様情報保存部３０８に保存する。
【００４０】
お客様情報保存部３０８は、お客様名、電話番号、検針システムの工事有無などの情報が予め保存される他、無線ＩＤ・セキュリティ情報決定部３０７で決定された情報を保存する。
【００４１】
アプリ配布部３０９は、ホームゲートウェイ１に、メータ５の情報収集およびメータ５を制御するためのアプリケーションソフトウェアをホームゲートウェイ１に配布する。
【００４２】
図５を参照して、携帯端末４の機能ブロックを説明する。図５において、携帯端末４は、携帯網ＩＦ部４００と、マンマシンＩＦ部４０１と、携帯端末主機能部４０２と、無線ＬＡＮ−ＩＦ部４０３と、情報収集制御装置通信部４０４と、認証処理部４０５と、無線ＩＤ・セキュリティ情報取得部４０６と、無線ＩＤ・セキュリティ情報通知部４０７とから構成されている。
【００４３】
携帯網ＩＦ部４００は、携帯網１０との通信を行なう。
【００４４】
マンマシンＩＦ部４０１および携帯端末主機能部４０２は、一般的な携帯端末４の機能を実現する。
【００４５】
無線ＬＡＮ−ＩＦ部４０３は、一般的な無線ＬＡＮサービスを受けるが、ここでは、検針子機２とアドホック通信を行なう。
【００４６】
情報収集制御装置通信部４０４は、携帯網１０、ＮＧＮ９を介して情報収集制御装置３と通信を行なう。
【００４７】
認証処理部４０５は、情報収集制御装置３が携帯端末４を認証する処理に対し応答する。
【００４８】
無線ＩＤ・セキュリティ情報取得部４０６は、情報収集制御装置３から、検針子機２がホームゲートウェイ１と通信するための無線ＩＤとセキュリティ情報を取得する。
【００４９】
無線ＩＤ・セキュリティ情報通知部４０７は、無線ＩＤ・セキュリティ情報取得部４０６が取得した情報を、無線ＬＡＮ−ＩＦ部４０３を介して検針子機２に通知する。
【００５０】
図６を参照して、携帯端末４、検針子機２、ホームゲートウェイ１、情報収集制御装置３間の動作シーケンスを説明する。
【００５１】
工事担当者の操作により、携帯端末４は、携帯網１０、ＮＧＮ９を介して情報収集制御装置３にアクセスする（Ｓ１００）。情報収集制御装置３は、携帯端末４を携帯端末４の電話番号、証明書、パスワードにより認証する（Ｓ１０１）。ここでは、携帯端末４の認証がＯＫなので、情報収集制御装置３は、携帯端末４から、今回検針子機２の設置工事を行なうお客様の電話番号を受け付ける（Ｓ１０２）。
【００５２】
情報収集制御装置３は、携帯端末４から受け付けたお客様の電話番号からお客様宅のホームゲートウェイ１を特定し、アクセスする（Ｓ１０３）。ホームゲートウェイ１は、情報収集制御装置３のアクセスに対して、情報収集制御装置３の電話番号、証明書、パスワードで認証を行なう（Ｓ１０４）。ここでは、情報収集制御装置３の認証がＯＫなので、ホームゲートウェイ１は、情報収集制御装置３からメータの検針や制御を行なうためのアプリの配布を受け取る（Ｓ１０５）。ホームゲートウェイ１は、アプリをインストールして起動する（Ｓ１０６）。
【００５３】
情報収集制御装置３は、お客様電話番号を元に無線ＩＤを生成し、暗号鍵などのセキュリティ情報を生成する（Ｓ１０７）。情報収集制御装置３は、生成した無線ＩＤ、セキュリティ情報をホームゲートウェイ１に送信する（Ｓ１０８）。ホームゲートウェイ１は、無線ＩＤとセキュリティ情報を受信すると、メータの検針および制御を行なうための無線ＬＡＮ７の設定を行なう（Ｓ１０９）。この際、ホームゲートウェイ１のユーザが利用する無線ＬＡＮ６には一切影響を与えない。
【００５４】
情報収集制御装置３は、ステップ１０８でホームゲートウェイ１に送信した無線ＩＤ、セキュリティ情報と同じものを、ＮＧＮ９、携帯網１０を介して携帯端末４に送信する（Ｓ１１０）。携帯端末４は、無線ＩＤとセキュリティ情報を受信すると、検針子機２にアドホック無線機能を使ってアクセスする（Ｓ１１１）。
【００５５】
検針子機２は、携帯端末４を証明書およびパスワードで認証する（Ｓ１１２）。ここでは、認証ＯＫなので、検針子機２は、無線端末４から無線ＩＤとセキュリティ情報を受信する（Ｓ１１３）。検針子機２は、無線ＬＡＮの設定に反映させる（Ｓ１１４）。検針子機２は、ホームゲートウェイ１の無線ＬＡＮ７に帰属する（Ｓ１１５）。
【００５６】
ホームゲートウェイ１は、ステップ１０８で情報収集制御装置３から受信したセキュリティ情報をもとに検針子機２の認証を行なう（Ｓ１１６）。ここでは、認証ＯＫなので、ホームゲートウェイ１は、情報収集制御装置３に設置完了を通知する（Ｓ１１７）。
【００５７】
この状態で、ホームゲートウェイ１を検針親機とした、検針システムの設定が完了し、情報収集制御装置３とメータ５のルートが確立する。ここまで、工事者は、一切建屋１１の中に立ち入らなくても良い。さらに、情報収集制御装置３が任意に生成した無線ＩＤとセキュリティ情報を使うため、ホームゲートウェイ１のユーザが利用する無線ＬＡＮ６や、隣家が使用する無線ＬＡＮと分離ができ、かつセキュリティを確保できる。また、工事者が使用する携帯端末４も、検針子機４、情報収集制御装置３それぞれで認証を行なうため、予め認証情報を知り得る携帯端末４でしか設定を変えることができないためセキュリティ上安全である。
【００５８】
メータ５の情報収集と、メータ５の制御を引き続いて説明する。情報収集制御装置３は、ホームゲートウェイ１にデータ送信要求を送信する（Ｓ１１８）。ホームゲートウェイ１は、検針子機２にデータ送信要求を送信する（Ｓ１１９）。検針子機２は、メータ５にデータ送信要求を送信する（Ｓ１２０）。メータ５は、検針子機２に検針データを送信する（Ｓ１２１）。検針子機２は、ホームゲートウェイ１に検針データを送信する（Ｓ１２２）。ホームゲートウェイ１は、情報収集制御装置３に検針データを送信する（Ｓ１２３）。
【００５９】
一方、メータを制御するとき、情報収集制御装置３は、ホームゲートウェイ１に制御データを送信する（Ｓ１２４）。ホームゲートウェイ１は、検針子機２に制御データを送信する（Ｓ１２５）。検針子機２は、メータ５に制御データを送信する（Ｓ１２６）。ここで、制御データは、電力供給またはガス供給の停止、ガス供給の再開等である。
【００６０】
図７のフローチャートを参照して、ホームゲートウェイ１が情報収集制御装置３からのアクセスを受け、アプリケーションソフトウェアを受信し、起動する処理を説明する。この処理は、電源投入などホームゲートウェイ１の起動後に開始される。
【００６１】
図７において、ホームゲートウェイ１は、特定電話番号からの着信を待つ（Ｓ２００）。ホームゲートウェイ１は、特定電話番号からの着信を受け付けると（Ｓ２００：ＹＥＳ）、証明書およびパスワードの送受信で、情報収集制御装置３の、認証処理を行なう（Ｓ２０１）。ホームゲートウェイ１は、認証ＯＫか判定する（Ｓ２０３）。認証ＮＧの場合（ＮＯ）、ホームゲートウェイ１は、着信呼を切断し（Ｓ２０２）、ステップ２００に戻って次の着信を待つ。
【００６２】
ステップ２０３で認証ＯＫの場合（ＹＥＳ）、ホームゲートウェイ１は、情報収集制御装置３からのアプリケーションソフトウェアの受信を待つ（Ｓ２０４）。情報収集制御装置３からアプリケーションソフトウェアを受信すると（ＹＥＳ）、ホームゲートウェイ１は、アプリケーションソフトウェアをインストールして起動し（Ｓ２０５）、ステップ２００に戻って次の着信を待つ。
上述した処理は、検針サービスに限らず、複数のサービスで実行され、ホームゲートウェイ１の基本機能として初期搭載されている。
【００６３】
図８のフローチャートを参照して、図７で説明したアプリケーションソフトウェアによるホームゲートウェイ１の処理を説明する。この処理は、アプリケーションソフトウェア起動後に開始される。図８において、ホームゲートウェイ１は、情報収集制御装置３からの、無線ＩＤ・セキュリティ情報の受信（Ｓ３００）、データ送信要求の受信（Ｓ３０１）または制御情報の受信（Ｓ３０２）のいずれかを待つ。
【００６４】
無線ＩＤ・セキュリティ情報を受信すると（Ｓ３００：ＹＥＳ）、ホームゲートウェイ１は、無線ＬＡＮを設定する（Ｓ３０４）。ホームゲートウェイ１は、検針子機２から帰属要求を受付けると認証し、帰属を許可する。検針子機２が帰属すると（Ｓ３１１）、情報収集制御装置３に設定完了を送信する（Ｓ３１２）。そして、ステップ３００に戻る。
データ送信要求を受信すると（Ｓ３０１：ＹＥＳ）、ホームゲートウェイ１は、無線ＩＤを特定する（Ｓ３０５）。ホームゲートウェイ１は、特定した無線ＩＤに基づいて、検針子機２にデータの送信要求を転送する（Ｓ３０６）。ホームゲートウェイ１は、検針子機２からのデータ受信を待つ（Ｓ３０７）。検針子機２からデータを受信したならば（ＹＥＳ）、データ収集制御装置３にデータを転送して（Ｓ３０８）、ステップ３００に戻る。
【００６５】
制御情報を受信すると（Ｓ３０２：ＹＥＳ）、ホームゲートウェイ１は、無線ＩＤを特定する（Ｓ３０９）。ホームゲートウェイ１は、特定した無線ＩＤにより検針子機２に制御情報を転送して（Ｓ３１０）、ステップ３００に戻る。
【００６６】
図９を参照して、検針子機２の無線ＬＡＮの設定に係わる処理を説明する。この処理は、電源投入など検針子機２が起動後に開始される。図９において、検針子機２は、携帯端末４からのアクセスを待つ（Ｓ４００）。携帯端末４からのアクセスを受け付けると（ＹＥＳ）、検針子機２は、証明書、パスワードの送受信により、携帯端末４の認証を行なう（Ｓ４０１）。検針子機２は、認証ＯＫか判定する（Ｓ４０２）。認証ＮＧの場合（ＮＯ）、検針子機２は、携帯端末４にＮＧを通知し（Ｓ４０３）、ステップ４００に戻る。
【００６７】
ステップ４０２で認証ＯＫの場合（ＹＥＳ）、検針子機２は、携帯端末４からの無線ＩＤとセキュリティ情報の受信を待つ（Ｓ４０４）。無線ＩＤとセキュリティ情報を受信すると（ＹＥＳ）、検針子機２は、無線ＬＡＮの設定を実行する（Ｓ４０５）。
【００６８】
検針子機２は、ホームゲートウェイ１への帰属処理を実行する（Ｓ４０６）。検針子機２は、帰属が成功したか判定する（Ｓ４０７）。ホームゲートウェイ１への帰属に成功すると（ＹＥＳ）、検針子機２は、携帯端末４に成功を通知して（Ｓ４０８）、ステップ４００に戻る。ステップ４０７で、ホームゲートウェイ１への帰属に失敗すると（ＮＯ）、携帯端末４に失敗を通知して（Ｓ４０９）、ステップ４００に戻る。
【００６９】
図１０を参照して、検針子機２が、メータ５からのデータを送信する処理およびメータ５を制御する処理を説明する。この処理は、図１０の検針子機２の帰属成功した後、開始される。図１０において、検針子機２は、ホームゲートウェイ１からのデータ送信要求受信（Ｓ５００）または制御情報受信（Ｓ５０３）を待つ。
【００７０】
ホームゲートウェイ１からデータ送信要求を受信すると（Ｓ５００：ＹＥＳ）、検針子機２は、メータ５からデータを取得する（Ｓ５０１）。検針子機２は、データをホームゲートウェイ１に送信して（Ｓ５０２）、ステップ５００に戻る。
【００７１】
ホームゲートウェイ１から制御情報を受信すると（Ｓ５０３：ＹＥＳ）、検針子機２は、制御情報に従ってメータ５を制御して（Ｓ５０４）、ステップ５００に戻る。
【００７２】
図１１を参照して、情報収集制御装置３が、携帯端末からのアクセスを受け付け、無線ＩＤとセキュリティ情報を生成して配布する処理を説明する。この処理は、情報収集制御装置３の電源投入など起動後に開始される。図１１において、情報収集制御装置３は、携帯端末４からのアクセスを待つ（Ｓ６００）。携帯端末４からアクセスを受け付けると（ＹＥＳ）、情報収集制御装置３は、証明書、パスワードの送受信で、携帯端末４の認証を行なう（Ｓ６０１）。情報収集制御装置３は、認証ＯＫか判定する（Ｓ６０２）。認証ＮＧの場合（ＮＯ）、情報収集制御装置３は、携帯端末４に認証ＮＧを通知し（Ｓ６０３）、ステップ６００に戻る。ステップ６０２で認証ＯＫの場合（ＹＥＳ）、情報収集制御装置３は、携帯端末４から、お客様電話番号を取得する（Ｓ６０４）。情報収集制御装置３は、お客様電話番号によりホームゲートウェイ１にアクセスする（Ｓ６０５）。情報収集制御装置３は、ホームゲートウェイ１に、検針・制御を実行させるためのアプリケーションソフトウェアを配布する（Ｓ６０６）。
【００７３】
情報収集制御装置３は、お客様電話番号をもとに無線ＩＤとセキュリティ情報を生成する（Ｓ６０７）。このとき、何れの情報もお客様電話番号を解読できない計算にて行なう。情報収集制御装置３は、無線ＩＤとセキュリティ情報をホームゲートウェイ１と携帯端末４に送信する（Ｓ６０８）。情報収集制御装置３は、ホームゲートウェイ１からの設置完了通知を待つ（Ｓ６０９）。ホームゲートウェイ１から設置完了通知を受信すると（ＹＥＳ）、情報収集制御装置３は、お客様情報登録部に無線ＩＤとセキュリティ情報を保存して（Ｓ６１０）、ステップ６００に戻る。
上述した処理は、複数のホームゲートウェイ１（お客様）に対して実行する。
【００７４】
図１２を参照して、情報収集制御部３のメータ５の検針および制御を行なう動作を説明する。この処理は、情報収集制御装置の電源投入など起動後に開始される。図１２において、情報収集制御装置３は、外部装置（図示せず）からの指示による、メータ５のデータ取得イベント（Ｓ７００）またはメータ制御イベント（Ｓ７０５）を待つ。データ取得イベントを検出すると（Ｓ７００：ＹＥＳ）、情報収集制御装置３は、ホームゲートウェイ１を特定し、ホームゲートウェイ１にデータ送信要求を送信する（Ｓ７０２）。情報収集制御装置３は、ホームゲートウェイ１からのデータ受信を待つ（Ｓ７０３）。ホームゲートウェイ１からデータを受信すると（ＹＥＳ）、情報収集制御装置３は、外部装置に送信し（Ｓ７０４）、ステップ７００に戻る。
【００７５】
制御イベントを検出すると（Ｓ７０５：ＹＥＳ）、情報収集制御装置３は、ホームゲートウェイ１を特定し、ホームゲートウェイ１に制御情報を送信して（Ｓ７０６）、ステップ７００に戻る。
【００７６】
図１３を参照して、携帯端末４の情報収集制御装置３と検針子機２にアクセスする処理を説明する。この処理は、工事者が携帯端末４の検針システム設定機能を起動することにより開始する。図１３において、工事者の操作により、携帯端末４は、情報収集制御装置３にアクセスする（Ｓ８００）。携帯端末４は、情報収集制御装置３の認証処理に応答して、自身の認証ＯＫか判定する（Ｓ８０１）。情報収集制御装置３による被認証がＯＫの場合（ＹＥＳ）、携帯端末４は、工事者が入力したお客様電話番号を、情報収集制御装置３に送信する（Ｓ８０２）。
【００７７】
携帯端末４は、情報収集制御装置３からの無線ＩＤとセキュリティ情報の受信を待つ（Ｓ８０３）。携帯端末４は、情報収集制御装置３からの無線ＩＤとセキュリティ情報を受信すると（ＹＥＳ）、携帯端末４は、検針子機２にアクセスする（Ｓ８０４）。
【００７８】
携帯端末４は、検針子機２の認証に対して応答し、自身の認証がＯＫか判定する（Ｓ８０５）。被認証ＯＫの場合（ＹＥＳ）、携帯端末４は、検針子機２に無線ＩＤとセキュリティ情報を送信し（Ｓ８０６）、本処理を終了する。
【００７９】
携帯端末４は、ステップ８０１またはステップ８０５で認証ＮＧの場合（何れもＮＯ）、マンマシンＩＦ部４０１の表示部（図示せず）にＮＧを表示し（Ｓ８０７）、終了する。
【００８０】
上述した実施例によれば、検針システムにおいて、屋内に立ち入らないで、ホームゲートウェイに検針親機機能の設定および検針子機との親子関係の設定を行なうことができる。
【符号の説明】
【００８１】
１…ホームゲートウェイ（ＨＧＷ）、２…検針子機、３…情報収集制御装置、４…携帯端末、５…メータ、６…無線ＬＡＮ、７…無線ＬＡＮ、８…ＯＮＵ、９…ＮＧＮ、１０…携帯網、１００…ＷＡＮ−ＩＦ部、１０１…ＨＧＷ主機能部、１０３…アプリケーションフレームワーク部、１０４…無線ＬＡＮ設定部、１０５…無線ＬＡＮ−ＩＦ部、１０６…認証部、２００…無線ＬＡＮ−ＩＦ部、２０１…外部機器−ＩＦ部、２０２…無線ＬＡＮ設定部、２０３…ＨＧＷとの情報送受信部、２０４…外部機器との情報送受信部、２０５…認証処理部、３００…通信ＩＦ部、３０１…携帯端末通信部、３０２…ＨＧＷ通信部、３０３…情報収集制御部、３０５…携帯端末認証処理部、３０６…ＨＧＷ認証処理部、３０７…無線ＩＤ・セキュリティ情報決定部、３０８…お客様情報保存部、３０９…アポリ配布部、４００…携帯網ＩＦ部、４０１…マンマシンＩＦ部、４０２…携帯端末主機能部、４０３…無線ＬＡＮ−ＩＦ部、４０４…情報収集制御装置通信部、４０５…認証処理部、４０６…無線ＩＤ・セキュリティ情報取得部、４０７…無線ＩＤ・セキュリティ情報通知部、５００…検針システム。
【図１】
2012165059.tif 000003
【図２】
2012165059.tif 000004
【図３】
2012165059.tif 000005
【図４】
2012165059.tif 000006
【図５】
2012165059.tif 000007
【図６】
2012165059.tif 000008
【図７】
2012165059.tif 000009
【図８】
2012165059.tif 000010
【図９】
2012165059.tif 000011
【図１０】
2012165059.tif 000012
【図１１】
2012165059.tif 000013
【図１２】
2012165059.tif 000014
【図１３】
2012165059.tif 000015